(57)【要約】  【課題】  利用者の都合に合わせて、複合機の設置に必要な面積を小さくすることも比較的厚くて重い原稿を載せやすくすることもできる複合機を提供すること。  【解決手段】  複合機１が備える画像記録部３と画像読取部５は、第１の連結部材７および第２の連結部材９を介して連結され、これにより、画像読取部５は、画像記録部３に対する相対的な位置を変更でき、変更された各位置において、原稿載置面に載せられた原稿から画像を読み取ることができるようになっている。画像読取部５の大部分が画像記録部３の上方に重なる位置に画像読取部５を変位させると、複合機１の設置に必要な面積を小さくすることができる。また、画像読取部５の原稿載置面が水平になる位置に画像読取部５を変位させると、比較的厚くて重い原稿を原稿載置面上に載せやすくすることができる。【選択図】  図１
2007097158.tif 000002
【特許請求の範囲】
【請求項１】
被記録媒体に対して画像を記録する画像記録部と、
原稿載置面に載せられた原稿から画像を読み取り可能な画像読取部であって、前記画像記録部に対する相対的な位置を複数の位置に変更可能で、前記複数の位置において、前記原稿載置面に載せられた原稿から画像を読み取り可能に構成されている画像読取部と、
を備えたことを特徴とする複合機。
【請求項２】
前記画像読取部は、少なくとも第１の位置および第２の位置を含む前記複数の位置で固定可能に構成されている
ことを特徴とする請求項１に記載の複合機。
【請求項３】
前記画像読取部が前記第１の位置にある際には、前記画像読取部における第１部分が実質的に前記画像記録部の上方位置にある
ことを特徴とする請求項２に記載の複合機。
【請求項４】
前記画像読取部が前記第２の位置にある際には、前記画像読取部における第１部分が実質的に前記画像記録部の上方位置にない
ことを特徴とする請求項２に記載の複合機。
【請求項５】
前記第１の位置においては、前記画像読取部が前記画像記録部に対して実質的に傾斜して配置される
ことを特徴とする請求項２に記載の複合機。
【請求項６】
前記第２の位置においては、前記画像読取部が前記画像記録部に対して実質的に平行に配置される
ことを特徴とする請求項２に記載の複合機。
【請求項７】
前記画像読取部は、第１部分と、第２部分と、を有し、
前記第１部分は、前記画像記録部の前面近傍に位置し、
前記第２部分は、前記画像記録部の後面近傍に位置する
ことを特徴とする請求項２に記載の複合機。
【請求項８】
前記画像読取部が前記第１の位置にある際には、
前記第１部分は前記画像記録部の近傍に位置し、前記第２部分は前記画像記録部から離れて位置する
ことを特徴とする請求項７に記載の複合機。
【請求項９】
前記画像読取部が前記第１の位置にある際には、
前記第２部分は前記画像記録部から上下方向に離れて位置する
ことを特徴とする請求項７に記載の複合機。
【請求項１０】
前記画像読取部が前記第１の位置から前記第２の位置に移動する際には、
前記画像読取部が水平方向と上下方向に移動する
ことを特徴とする請求項２に記載の複合機。
【請求項１１】
前記画像読取部が前記第１の位置にある際には、前記原稿載置面が水平方向から傾斜し、
前記画像読取部が前記第２の位置にある際には、前記原稿載置面が略水平に配置される
ことを特徴とする請求項２に記載の複合機。
【請求項１２】
前記画像読取部に対して回動可能に連結された第１端部と、
前記画像記録部に対して回動可能に連結された第２端部と、
を有する第１の連結部材を備えた
ことを特徴とする請求項１に記載の複合機。
【請求項１３】
前記画像読取部に対して回動可能に連結された第１端部と、
前記画像記録部との関係で取り外し自在の第２端部と、
を有する第２の連結部材を更に備えた
ことを特徴とする請求項１２に記載の複合機。
【請求項１４】
前記画像記録部に位置する被係合部を更に備え、
前記第２の連結部材における前記第２端部が前記被係合部との関係で取り外し自在である
ことを特徴とする請求項１３に記載の複合機。
【請求項１５】
前記第２の連結部材は、前記画像読取部を前記第１の位置で固定する固定具として機能する
ことを特徴とする請求項１３に記載の複合機。
【請求項１６】
前記第２の連結部材は、前記画像読取部を前記第２の位置で支持する支持脚として機能する
ことを特徴とする請求項１３に記載の複合機。
【請求項１７】
被記録媒体を案内するガイド部を更に備え、
前記ガイド部は、水平方向上で前記画像記録部の正面側となる位置に位置している
ことを特徴とする請求項１に記載の複合機。
【請求項１８】
前記ガイド部は、前記被記録媒体を前記ガイド部のガイド面沿いに前記画像読取部の上面側へと案内可能に構成されている
ことを特徴とする請求項１７に記載の複合機。
【請求項１９】
前記ガイド部は、前記画像読取部の下方において前記被記録媒体を前記ガイド部のガイド面沿いに案内可能に構成されている
ことを特徴とする請求項１７に記載の複合機。
【請求項２０】
前記ガイド部の形態は、少なくとも第１，第２の形態を含む複数の形態に変形可能に構成されている
ことを特徴とする請求項１７に記載の複合機。
【請求項２１】
前記第１の形態の前記ガイド部は、前記被記録媒体を前記ガイド部のガイド面沿いに前記画像読取部の上面側へと案内可能に構成されている
ことを特徴とする請求項２０に記載の複合機。
【請求項２２】
前記第２の形態の前記ガイド部は、前記画像読取部の下方において前記被記録媒体を前記ガイド面沿いに案内可能に構成されている
ことを特徴とする請求項２１に記載の複合機。
【請求項２３】
前記画像読取部における前記画像記録部の上方に実質的に重なる部分の、前記画像読取部における前記画像記録部の上方に実質的に重ならない部分に対する割合を、前記画像記録部に対する前記画像読取部の相対的な位置を変更することで、変化させることができるよう構成された
ことを特徴とする請求項１に記載の複合機。
【請求項２４】
前記画像読取部が、前記画像記録部の水平方向上の前部近傍の位置から、前記画像記録部の水平方向上の後部近傍の位置に移動された際に、当該複合機を設置するための水平方向上の面積が小さくなる
ことを特徴とする請求項１に記載の複合機。
【発明の詳細な説明】
【技術分野】
【０００１】
本発明は、画像記録部および画像読取部を備えた複合機に関する。
【背景技術】
【０００２】
従来、画像記録部および画像読取部を備えた複合機において、画像読取部が備える原稿載置面（コンタクトガラス）を略水平に配置したものが知られている。これは、書籍等といった比較的厚くて重い原稿から画像を読み取る際、原稿載置面が略水平に配置されている方が、原稿載置面の上に原稿を載せやすいからである。
【０００３】
一方、この種の複合機において、画像読取部が備える原稿載置面を傾斜させて配置したものも提案されている（例えば、特許文献１参照）。このように原稿載置面を傾斜させて配置すれば、原稿載置面を水平に配置したものよりも、複合機の設置に必要な水平方向についての面積を小さくして、設置スペースの有効利用を図ることができる。
【特許文献１】特開２００３−１１５９６２号公報
【発明の開示】
【発明が解決しようとする課題】
【０００４】
しかしながら、上記従来の複合機は、原稿載置面を略水平に配置した構造、もしくは原稿載置面を傾斜させて配置した構造のいずれかを、択一的に採用したものばかりであった。
【０００５】
そのため、比較的厚くて重い原稿を載せやすくすることを優先して原稿載置面を略水平に配置すると、複合機の設置のために場所を取られてしまうという問題を招き、一方、複合機の設置に必要な面積を小さくすることを優先して、原稿載置面を傾斜させて配置すると、比較的厚くて重い原稿を載せにくくなるという問題を招き、これら２つの問題を同時に解決することはできなかった。
【０００６】
本発明は、上記問題を解決するためになされたものであり、その目的は、利用者の都合に合わせて、複合機の設置に必要な面積を小さくすることも比較的厚くて重い原稿を載せやすくすることもできる複合機を提供することにある。
【課題を解決するための手段】
【０００７】
以下、本発明において採用した特徴的構成について説明する。
本発明の複合機は、被記録媒体に対して画像を記録する画像記録部と、原稿載置面に載せられた原稿から画像を読み取り可能な画像読取部であって、前記画像記録部に対する相対的な位置を複数の位置に変更可能で、前記複数の位置において、前記原稿載置面に載せられた原稿から画像を読み取り可能に構成されている画像読取部と、を備えたことを特徴とする。
【０００８】
このように構成された複合機によれば、画像読取部の位置を画像記録部に対して相対的に変更し、変更された各位置において、原稿載置面に載せられた原稿から画像を読み取ることができる。したがって、利用者は、画像読取部の位置を利用者にとって使い勝手のよい位置に任意に変更することができ、例えば、比較的厚くて重い原稿を載せたいときには、原稿載置面が略水平になるように画像読取部を変位させればよく、複合機の設置に必要な面積を小さくしたいときには、原稿載置面が傾斜するように画像読取部を変位させればよい。
【０００９】
なお、本発明の複合機は、さらに次のように構成されていても良い。
まず、前記画像読取部は、少なくとも第１の位置および第２の位置を含む前記複数の位置で固定可能に構成されていても良い。
【００１０】
このようにすれば、画像記録部に対する画像読取部の相対的な位置を好適に安定させることができる。
また、上記の第１の位置や第２の位置における画像記録部と画像読取部との位置関係に関しては種々の態様が考えられる。
【００１１】
例えば、前記画像読取部が前記第１の位置にある際には、前記画像読取部における第１部分が実質的に前記画像記録部の上方位置にあっても良い。
また、前記画像読取部が前記第２の位置にある際には、前記画像読取部における第１部分が実質的に前記画像記録部の上方位置にないよう複合機が構成されていても良い。
【００１２】
また、前記第１の位置においては、前記画像読取部が前記画像記録部に対して実質的に傾斜して配置されても良い。
更に、前記第２の位置においては、前記画像読取部が前記画像記録部に対して実質的に平行に配置されても良い。
【００１３】
ここで、本発明の複合機において、前記画像読取部は、第１部分と、第２部分と、を有し、前記第１部分は、前記画像記録部の前面近傍に位置し、前記第２部分は、前記画像記録部の後面近傍に位置していても良い。
【００１４】
そして、この場合においては、前記画像読取部が前記第１の位置にある際には、前記第１部分は前記画像記録部の近傍に位置し、前記第２部分は前記画像記録部から離れて位置しても良い。
【００１５】
また、前記画像読取部が前記第１の位置にある際には、前記第２部分は前記画像記録部から上下方向に離れて位置しても良い。
一方、本発明の複合機においては、前記画像読取部が前記第１の位置から前記第２の位置に移動する際には、前記画像読取部が水平方向と上下方向に移動しても良い。
【００１６】
このようにすれば、例えば、画像読取部が、水平方向だけ、あるいは、上下方向だけに移動できる場合に比べ、「第１の位置」や「第２の位置」として、種々の態様を実現できる。
【００１７】
また、本発明の複合機においては、前記画像読取部が前記第１の位置にある際には、前記原稿載置面が水平方向から傾斜し、前記画像読取部が前記第２の位置にある際には、前記原稿載置面が略水平に配置されても良い。
【００１８】
このようにすれば、一台の複合機において、原稿載置面の配置状態を好適に変化させることができる。
本発明の複合機は、前記画像読取部に対して回動可能に連結された第１端部と、前記画像記録部に対して回動可能に連結された第２端部と、を有する第１の連結部材を備えていても良い。
【００１９】
このようにすれば、第１の連結部材の画像記録部や画像読取部に対する回動状態を変化させることによって、画像記録部と画像読取部との相対的位置関係を好適に変化させることができる。
【００２０】
また、本発明の複合機は、前記画像読取部に対して回動可能に連結された第１端部と、前記画像記録部との関係で取り外し自在の第２端部と、を有する第２の連結部材を更に備えていても良い。
【００２１】
このようにすれば、例えば、第２の連結部材の第２端部が画像記録部に係合している場合には、第１の連結部材だけが設けられている複合機の場合に比べ、画像記録部に対する画像読取部の相対的な位置を好適に安定させうる。
【００２２】
ここで、本発明の複合機は、前記画像記録部に位置する被係合部を更に備えていても良い。そして、この場合には、前記第２の連結部材における前記第２端部が前記被係合部との関係で取り外し自在であっても良い。
【００２３】
本発明の複合機が第２の連結部材を備える場合には、当該第２の連結部材が次のように機能しても良い。
即ち、前記第２の連結部材は、前記画像読取部を前記第１の位置で固定する固定具として機能しても良い。
【００２４】
また、前記第２の連結部材は、前記画像読取部を前記第２の位置で支持する支持脚として機能しても良い。
本発明の複合機は、被記録媒体を案内するガイド部を更に備えていても良い。この場合、前記ガイド部は、水平方向上で前記画像記録部の正面側となる位置に位置していても良い。
【００２５】
このようにすれば、被記録媒体がガイド部によって好適に案内されうる。
ここで、前記ガイド部は、前記被記録媒体を前記ガイド部のガイド面沿いに前記画像読取部の上面側へと案内可能に構成されていても良い。
【００２６】
また、前記ガイド部は、前記画像読取部の下方において前記被記録媒体を前記ガイド部のガイド面沿いに案内可能に構成されていても良い。
更に、前記ガイド部の形態は、少なくとも第１，第２の形態を含む複数の形態に変形可能に構成されていても良い。
【００２７】
このようにすれば、ガイド部を介して被記録媒体を種々の態様にて案内することが可能となる。
ここで、前記第１の形態の前記ガイド部は、前記被記録媒体を前記ガイド部のガイド面沿いに前記画像読取部の上面側へと案内可能に構成されていても良い。
【００２８】
また、前記第２の形態の前記ガイド部は、前記画像読取部の下方において前記被記録媒体を前記ガイド面沿いに案内可能に構成されていても良い。
一方、本発明の複合機は、前記画像読取部における前記画像記録部の上方に実質的に重なる部分の、前記画像読取部における前記画像記録部の上方に実質的に重ならない部分に対する割合を、前記画像記録部に対する前記画像読取部の相対的な位置を変更することで、変化させることができるよう構成されていても良い。
【００２９】
また、本発明の複合機では、前記画像読取部が、前記画像記録部の水平方向上の前部近傍の位置から、前記画像記録部の水平方向上の後部近傍の位置に移動された際に、当該複合機を設置するための水平方向上の面積が小さくなっても良い。
【発明を実施するための最良の形態】
【００３０】
次に、本発明の実施形態について、具体的な例を挙げて説明する。
［第１実施形態］
本発明の第１実施形態として例示する複合機は、スキャナ機能、プリンタ機能、複写（コピー）機能等を兼ね備えた装置である。
【００３１】
図１〜図３は、それぞれ第１実施形態として例示する複合機を示す図であり、図１は、画像読取部を第１の位置に変位させた状態を示す右側面図、図２は、画像読取部を第２の位置に変位させた状態を示す右側面図、図３は、画像読取部を第２の位置に変位させた状態を示す平面図である。
【００３２】
この複合機１は、図１および図２に示すように、画像記録部３、画像読取部５、第１の連結部材７、第２の連結部材９、被係合部１１、ガイド部１３などを備えている。これらのうち、画像記録部３と画像読取部５は、第１の連結部材７および第２の連結部材９を介して連結され、これにより、画像読取部５は、画像記録部３に対する相対的な位置を、図１に示す第１の位置または図２に示す第２の位置へ変更できるようになっている。また、ガイド部１３は、図１に示す第１の形態または図２に示す第２の形態に変形可能な構造になっている。
【００３３】
以下、これらの構成について、さらに詳しく説明する。
画像記録部３には、給紙トレイ２１、給紙ローラ２３、搬送ローラ２５、排紙ローラ２７、記録ヘッド３１、プラテン３３などが設けられている。
【００３４】
給紙トレイ２１は、画像の記録に用いるシート状被記録媒体（例えば記録用紙）が上面側に載置される部材である。
給紙ローラ２３、搬送ローラ２５、および排紙ローラ２７は、被記録媒体の搬送機構を構成する部材で、図示しないモーターからギヤ機構を介して給紙ローラ２３、搬送ローラ２５、および排紙ローラ２７のそれぞれに動力が伝達され、これにより、各ローラが回転駆動される構造になっている。給紙トレイ２１上の被記録媒体は、給紙ローラ２３の回転に伴って１枚ずつ給紙トレイ２１から搬送経路下流側へと送り出され、給紙ローラ２３によって送り出された被記録媒体は、さらに搬送ローラ２５によって搬送経路下流側へと搬送される。そして、搬送ローラ２５によって搬送されてプラテン３３の上方を通過した被記録媒体は、さらに排紙ローラ２７によって搬送経路下流側へと搬送され、画像記録部３から排出される。
【００３５】
記録ヘッド３１は、本実施形態においてはインクジェット式のものが採用されている。この記録ヘッド３１には、図示しないモーターからタイミングベルトを介して動力が伝達され、これにより、記録ヘッド３１が左右方向（主走査方向；図１または図２の紙面に対して垂直方向）に往復移動するようになっている。また、記録ヘッド３１の下面には複数のノズルが設けられ、このノズルから記録ヘッド３１の下方にある被記録媒体に向かってインクを噴射して、被記録媒体表面に画像を記録するように構成されている。被記録媒体には、記録ヘッド３１が左右方向に往動および復動する毎に所定ライン数分の画像が記録され、この所定ライン数分の画像が被記録媒体に記録されるたびに、上述の搬送機構により所定量ずつ被記録媒体が前方（副走査方向）へと搬送され、この記録ヘッド３１の往動および復動と搬送機構による搬送とを繰り返すことにより、画像全体が被記録媒体に記録されるようになっている。
【００３６】
プラテン３３は、被記録媒体を挟んで記録ヘッド３１の下面と対向する位置に配設された部材で、記録ヘッド３１による画像の記録がなされる際に、被記録媒体を下方から支持する役割を果たしている。
【００３７】
また、画像読取部５には、イメージセンサ４１、コンタクトガラス４３、およびカバー４５などが設けられている。
イメージセンサ４１は、左右方向（主走査方向）に延びる所定ライン数分の画像を光学的に読み取り可能なカラーラインセンサである。このイメージセンサ４１は、図示しないモーターに駆動されて図２における前後方向に往復移動する構造になっていて、イメージセンサ４１が、コンタクトガラス４３上の原稿から所定ライン数分の画像を読み取る毎に、所定ライン数分だけ前方（副走査方向）へと往動し、この所定ライン数分の画像の読み取りと往動とを繰り返すことにより、画像全体を読み取るようになっている。
【００３８】
コンタクトガラス４３は、無色透明のガラスによって構成された部材で、上面側が画像読取部５における読み取り対象となる原稿を載置するための原稿載置面となっている。
カバー４５は、コンタクトガラス４３の上面を覆う開閉可能な部材で、カバー４５を開くとコンタクトガラス４３上に原稿を載置できるようになり、カバー４５を閉じるとコンタクトガラス４３上に載置された原稿が、カバー４５とコンタクトガラス４３との間に挟み込まれるようになっている。
【００３９】
また、第１の連結部材７では、一端（第１端部７ａ）が画像読取部５に対して回動可能に連結されるとともに、他端（第２端部７ｂ）が画像記録部３に対して回動可能に連結されている。第２の連結部材９では、一端（第１端部９ａ）が画像読取部５に対して回動可能に連結されるとともに、他端（第２端部９ｂ）が画像記録部３に設けられた被係合部１１に対して係脱可能に構成されている。
【００４０】
第１の連結部材７および第２の連結部材９を回動させつつ、画像読取部５を図１に示す第１の位置へ変位させた際には、第２の連結部材９の他端（第２端部９ｂ）を被係合部１１に係合させることにより、第２の連結部材９を固定具として機能させ、これにより、画像読取部５を第１の位置で固定・支持することができるようになっている。また、画像読取部５を図２に示す第２の位置へ変位させた際には、被係合部１１から離脱させた第２の連結部材９の他端（第２端部９ｂ）を複合機１の設置面に当接させることにより、第２の連結部材９を支持脚として機能させ、これにより、画像読取部５を下側から支えることができる。
【００４１】
なお、本実施形態において、第１の連結部材７の両端（第１端部７ａ、第２端部７ｂ）の連結部分、および第２の連結部材９の一端（第１端部９ａ）の連結部分には、複数のノッチ１０２および当該複数のノッチ１０２のうちの１つに引っかかる係止部１０４とで構成された回動規制機構１００が組み込まれている（図４参照）。この回動規制機構１００は、画像読取部５の重量が作用する程度では係止部１０４がノッチ１０２から外れず、且つ、所定以上の力を加えた場合には係止部１０４がノッチ１０２から外れるように構成され、これにより、利用者が意図的に所定以上の力を加えたときだけ、連結部分を１ノッチ分相当の角度ずつカチカチと回動させることができるようになっている。
【００４２】
さらに、ガイド部１３は、画像記録部３の正面側に向かって排出される被記録媒体を、ガイド面沿いに案内する部材で、このガイド部１３には、スライド部５１、および回動部５３が設けられている。
【００４３】
スライド部５１は、画像記録部３の正面側において前後方向へスライド可能で、上面側が設置面に対して平行（略水平）なガイド面になっており、画像記録部３の正面側に向かって排出される被記録媒体は、設置面に対して平行な状態を維持したまま前方へと案内される。
【００４４】
回動部５３は、スライド部５１に対して相対的に回動可能で、側面視略くの字型に曲折され、表裏いずれか一方の面がガイド面として利用されるようになっている。
このように構成されたガイド部１３は、スライド部５１を後方へスライドさせるとともに、回動部５３の自由端がスライド部５１から離間する方向へ回動部５３を回動させることにより、図１に示した第１の形態に変形する。ガイド部１３を第１の形態に変形させた場合、ガイド部１３は被記録媒体をガイド面沿いに画像読取部５の上面側へと案内可能な形状となる（図１中に二点鎖線の矢印で示した搬送経路参照）。
【００４５】
一方、ガイド部１３は、スライド部５１を前方へスライドさせるとともに、回動部５３の自由端がスライド部５１に当接する方向へ回動部５３を回動させることにより、図２に示した第２の形態に変形する。ガイド部を第２の形態に変形させた場合、ガイド部１３は画像読取部５の下方において被記録媒体をガイド面沿いに案内可能な形状となる（図２中に二点鎖線の矢印で示した搬送経路参照）。なお、回動部５３の自由端は、ちょうどスライド部５１に形成された溝（不図示）内に嵌り込み、これにより、回動部５３の自由端側端面は溝内に隠れるので、スライド部５１上を前方へと押し出される被記録媒体は、回動部５３の自由端側端面にぶつかることなく回動部５３のなす傾斜面上へスムーズに押し出される。
【００４６】
以上のように構成された複合機１において、画像読取部５は、画像記録部３に対する相対的な位置を変更した場合でも、変更された各位置において、コンタクトガラス４３（原稿載置面）の上に載せられた原稿から画像を読み取ることができる。したがって、利用者は、画像読取部５の位置を利用者にとって使い勝手のよい位置に任意に変更することができる。
【００４７】
より具体的には、例えば、複合機１の設置に必要な面積を小さくしたいときには、画像読取部５を図１に示した第１の位置に変位させるとよい。すなわち、画像読取部５を図１に示した第１の位置に変位させると、画像読取部５の一部５ａ（第１部分）は、画像記録部３の上方に重ならない位置から画像記録部３の上方に重なる位置へ移動する。つまり、画像読取部５のうち、画像記録部３の上方に重ならない部分に対する重なる部分の割合が増加する。これにより、複合機１の設置に必要な水平方向についての面積を小さくすることができる。
【００４８】
しかも、画像記録部３の部分５ａは、水平方向について画像記録部３の正面側周縁部３ａよりも正面側となる位置から、画像記録部３の正面側周縁部３ａよりも背面側となる位置へ移動するので、複合機１の正面側に新たな余剰スペースを作ることができる。したがって、この複合機１であれば、複合機１の背面側や側面側といった奥まった場所に余剰スペースが作られるものよりも、利用者にとって使い勝手のよい余剰スペースを作ることができる。
【００４９】
また、画像読取部５を図１に示した第１の位置に変位させた場合には、第２の連結部材９を被係合部１１に係合させて固定具として機能させることができるので、画像読取部５に多少の荷重が作用しても画像読取部５が第１の位置から変位しないようにすることができる。
【００５０】
一方、比較的厚くて重い原稿を載せたいときには、画像読取部５を図２および図３に示した第２の位置に変位させるとよい。このようにすれば、原稿載置面が略水平面となるように画像読取部５を配置することができるので、書籍等のような比較的厚くて重い原稿を滑り落ちないように安定させることができる。また、このときは、第２の連結部材９を被係合部１１に係合させることはできないが、第２の連結部材９の他端（第２端部９ｂ側の端）を複合機１の設置面に当接させて、第２の連結部材９を支持脚として機能させることができ、しかも、画像読取部５の一部５ｂ（第２部分）は画像記録部３の上面側に載った状態になる。したがって、画像読取部５は、第２の連結部材９および画像記録部３の双方によって下側から支えられることになり、重い原稿をコンタクトガラス４３上に載せた場合でも、画像読取部５は安定した状態で支えられることになる。
【００５１】
また、この複合機１によれば、第２の連結部材９は、上述の通り、固定具としても支持脚としても機能するので、この第２の連結部材９と同等に機能する固定具と支持脚をそれぞれ別々に備えるものよりも、部品点数を減らして、製造工程の簡略化および製造コストの低減を図ることができる。
【００５２】
加えて、この複合機１によれば、ガイド部１３を第１の形態に変形させると、画像記録部３から排出される被記録媒体が、ガイド部１３によって画像読取部５の上面側へと案内されるので、画像記録部３の正面側に向かって水平に被記録媒体を排出するものに比べ、被記録媒体の排出に要するスペースを小さくすることができる。したがって、特に、画像読取部５を第１の位置へと変位させることにより、複合機１の正面側に余剰スペースを作り出した際に、その余剰スペースが単に排紙スペースとして使われてしまうのを防止することができ、複合機１の正面側に作り出した余剰スペースを有効に活用することができる。また、ガイド部１３を第２の形態に変形させると、ガイド部１３が画像読取部５の下方において被記録媒体をガイド面沿いに案内可能な形状となるので、画像記録部３の正面側上方に画像読取部５が配置された場合には、被記録媒体を画像読取部５の上面側へ案内しないようにすることもできる。
【００５３】
また、この複合機１によれば、画像読取部５を図２および図３に示した第２の位置に変位させると、給紙トレイ２１の上方に画像読取部５が配置された状態となるので、画像読取部５が、給紙トレイ２１上に落ちてくるホコリを防ぐための屋根としても機能し、給紙トレイ２１上に載置された被記録媒体上にホコリが積もるのを防止することもできる。
【００５４】
［第２実施形態］
次に、第２実施形態について説明する。ただし、本発明の第２実施形態として例示する複合機は、各部の形状や動作方向が第１実施形態とは異なるものの、機能的には同等に機能する構成部品を備えているので、以下の説明においては、機能が同等な部材には第１実施形態で用いた符号と同じ符号を付すことにする。
【００５５】
以下に説明する複合機６１も、第１実施形態の複合機１と同様、スキャナ機能、プリンタ機能、複写（コピー）機能等を兼ね備えた装置である。
図５〜図７は、それぞれ第２実施形態として例示する複合機を示す図であり、図５は、画像読取部を第１の位置に変位させた状態を示す右側面図、図６は、画像読取部を第２の位置に変位させた状態を示す右側面図、図７は、画像読取部を第２の位置に変位させた状態を示す平面図である。
【００５６】
この複合機６１は、図５および図６に示すように、画像記録部３、画像読取部５、第１の連結部材７、第２の連結部材９、被係合部１１、ガイド部１３などを備えている。画像記録部３と画像読取部５は、第１の連結部材７および第２の連結部材９を介して連結され、これにより、画像読取部５は、画像記録部３に対する相対的な位置を、図５に示す第１の位置または図６に示す第２の位置へ変更できるようになっている。また、ガイド部１３は、図５に示す第１の形態または図６に示す第２の形態に変形可能な構造になっている。
【００５７】
これらの構成のうち、画像記録部３、およびガイド部１３については、第１実施形態のものとほとんど差異がないので、ここでの説明は省略する。
一方、画像読取部５、第１の連結部材７、第２の連結部材９、および被係合部１１は、機能的には第１実施形態のものとほとんど差異がないが、その形状や動作方向等が第１実施形態とはいくらか異なっている。
【００５８】
具体的には、第１実施形態においては、前後方向に長い画像読取部５を採用していたが、第２実施形態においては、左右方向に長い画像読取部５を採用している。また、画像読取部５が備えるイメージセンサ４１は、図７における左右方向に往復移動可能に構成され、右方（副走査方向）へと往動しながら、イメージセンサ４１の上方にあるコンタクトガラス４３上の原稿から、光学的に画像を読み取るように構成されている。
【００５９】
また、第１実施形態においては、第１の連結部材７および第２の連結部材９が画像読取部５の側面に配設されていたが、第２実施形態においては、第１の連結部材７および第２の連結部材９が画像読取部５の下面側に配設され、被係合部１１の位置も変更されている。
【００６０】
以上のように構成された複合機６１においても、画像読取部５は、画像記録部３に対する相対的な位置を変更した場合でも、変更された各位置において、コンタクトガラス４３（原稿載置面）の上に載せられた原稿から画像を読み取ることができる。
【００６１】
したがって、利用者は、画像読取部５の位置を利用者にとって使い勝手のよい位置に任意に変更することができ、例えば、複合機６１の設置に必要な面積を小さくしたいときには、画像読取部５を図５に示した第１の位置に変位させればよく、比較的厚くて重い原稿を載せたいときには、画像読取部５を図６および図７に示した第２の位置に変位させればよい。
【００６２】
また、この複合機６１によれば、画像読取部５を第１の位置へ変位させると、複合機６１の正面側に余剰スペースを作ることができる。
さらに、この複合機６１においても、画像読取部５を第１の位置へ変位させた際、第２の連結部材９は、画像読取部５を第１の位置で固定する固定具として機能し、画像読取部５を第２の位置へ変位させた際、第２の連結部材９は、複合機１の設置面に当接し、画像読取部５を支持する支持脚として機能する。したがって、単一の第２の連結部材９が、固定具としても支持脚としても機能するので、この第２の連結部材９と同等に機能する固定具と支持脚をそれぞれ別々に備えるものよりも、部品点数を減らして、製造工程の簡略化および製造コストの低減を図ることができる。
【００６３】
加えて、この複合機６１によれば、ガイド部１３を第１の形態に変形させると、画像記録部３から排出される被記録媒体が、ガイド部１３によって画像読取部５の上面側へと案内されるので、画像記録部３の正面側に向かって水平に被記録媒体を排出するものに比べ、被記録媒体の排出に要するスペースを小さくすることができる。また、ガイド部１３を第２の形態に変形させると、ガイド部１３が画像読取部５の下方において被記録媒体をガイド面沿いに案内可能な形状となるので、画像記録部３の正面側上方に画像読取部５が配置された場合には、被記録媒体を画像読取部５の上面側へ案内しないようにすることもできる。
【００６４】
なお、第２実施形態の複合機６１においては、左右方向に長い画像読取部５を採用しているので、第１実施形態の複合機１に比べ、画像読取部５を第１の位置に変位させた場合でも複合機６１の高さ方向の寸法を抑制できる。したがって、例えば、画像読取部５が比較的大型（例えばＡ３原稿対応）である場合には、第２実施形態のような構成を採用して高さ方向の寸法を抑制すると好ましい。逆に、画像読取部５が比較的小型（例えばＡ４原稿対応）である場合には、第１実施形態のような構成を採用して左右方向の寸法を抑制すると好ましい。
【００６５】
［その他の実施形態］
以上、本発明の実施形態について説明したが、本発明は上記の具体的な一実施形態に限定されず、この他にも種々の形態で実施することができる。
【００６６】
例えば、上記各実施形態においては、画像読取部５を第１の位置、第２の位置に変位させる例を示したが、さらに別の位置に画像読取部５を変位させるようにしてもよい。具体例を挙げれば、例えば、第２実施形態の複合機６１において、図８に示すように、第１の連結部材７を鉛直に直立させた状態のまま画像読取部５を原稿載置面が水平になる位置まで回動させても、原稿載置面に厚くて重い原稿を載せることができる。ただし、この場合は、図６に示した第２の位置とは異なり、第２の連結部材９を支持脚として機能させることができず、画像読取部５は、第１の連結部材７のみによって支持される状態となるので、画像読取部５を所定の位置に保持するためには、画像読取部５側からの荷重で第１の連結部材７の連結部分が容易には回動しない構造とすべきである。
【００６７】
また、上記各実施形態では、第１の連結部材７の両端（第１端部７ａ、第２端部７ｂ）の連結部分、および第２の連結部材９の一端（第１端部９ａ）の連結部分に、複数のノッチ１０２および当該複数のノッチ１０２のうちの１つに引っかかる係止部１０４とで構成された回動規制機構１００が組み込まれている旨を説明したが（図４参照）、画像読取部５の位置を維持するための機構（回動規制機構１００）は、ノッチ１０２を利用したものでなくてもよい。例えば、図９（ａ）に示すように、ねじ１０６を締めると各連結部分の回動が規制される一方、図９（ｂ）に示すように、ねじ１０６を緩めると各連結部分が回動可能となるような仕組みを回動規制機構１００として設けてあっても、ねじ１０６を緩めて画像読取部５を所期の位置まで変位させ、その状態でねじ１０６を締めることにより画像読取部５を所期の位置で固定することができる。
【００６８】
また、上記実施形態では言及しなかったが、画像記録部３側と画像読取部５側との間で信号をやり取りするための信号線や電力を供給するための電力線は、第１の連結部材７の内部を通すように構成してあると望ましく、これにより、外観の見栄えを良くすることができる。もちろん、外観の見栄えにこだわらない場合は、第１の連結部材７の外部において、画像記録部３側と画像読取部５側との間にワイヤハーネスが掛け渡されているような構造になっていてもよい。
【００６９】
また、上記実施形態では、第２の連結部材９を支持脚として機能させることについて説明したが、このような支持脚の下端には、例えばゴム材など、滑り止めとして機能する部材を設けておいてもよい。
【図面の簡単な説明】
【００７０】
【図１】第１実施形態の複合機において画像読取部を第１の位置に変位させた状態を示す右側面図。
【図２】第１実施形態の複合機において画像読取部を第２の位置に変位させた状態を示す右側面図。
【図３】第１実施形態の複合機において画像読取部を第２の位置に変位させた状態を示す平面図。
【図４】回動規制機構の概略構成を示す右側面図。
【図５】第２実施形態の複合機において画像読取部を第１の位置に変位させた状態を示す右側面図。
【図６】第２実施形態の複合機において画像読取部を第２の位置に変位させた状態を示す右側面図。
【図７】第２実施形態の複合機において画像読取部を第２の位置に変位させた状態を示す平面図。
【図８】第２実施形態の複合機において画像読取部を第１，第２の位置以外の位置に変位させて原稿載置面を水平にした状態を示す右側面図。
【図９】他の実施形態における回動規制機構の概略構成を示す右側面図。
【符号の説明】
【００７１】
１，６１・・・複合機、３・・・画像記録部、３ａ・・・正面側周縁部、５・・・画像読取部、５ａ・・・第１部分、５ｂ・・・第２部分、７・・・第１の連結部材、７ａ・・・第１端部、７ｂ・・・第２端部、９・・・第２の連結部材、９ａ・・・第１端部、９ｂ・・・第２端部、１１・・・被係合部、１３・・・ガイド部、２１・・・給紙トレイ、２３・・・給紙ローラ、２５・・・搬送ローラ、２７・・・排紙ローラ、３１・・・記録ヘッド、３３・・・プラテン、４１・・・イメージセンサ、４３・・・コンタクトガラス、４５・・・カバー、５１・・・スライド部、５３・・・回動部、１００・・・回動規制機構、１０２・・・ノッチ、１０４・・・係止部、１０６・・・ねじ
【図１】
2007097158.tif 000003
【図２】
2007097158.tif 000004
【図３】
2007097158.tif 000005
【図４】
2007097158.tif 000006
【図５】
2007097158.tif 000007
【図６】
2007097158.tif 000008
【図７】
2007097158.tif 000009
【図８】
2007097158.tif 000010
【図９】
2007097158.tif 000011